(57)【要約】　　　（修正有）【課題】球状の石材を吊り上げて移動または配置する際に、石材を動かすことなく安全に吊り上げ、しかも吊り上げ具の着脱においては帯の調節だけでできるため作業者の安全性の向上および作業時間の短縮が達成可能となり、かつ作業能率の向上が可能な球状石材吊り上げ具を提供する。【解決手段】両端をアイ状にした１本型の第１の帯と、両端をアイ状にした１本型の第２の帯とを有し、第１の帯の片方のアイ状の部分が第１の帯自身を通し、第１の帯のもう片方のアイ状の部分が第２の帯を通す構造を有し、第２の帯の片方のアイ状の部分が第２の帯自身を通し、第２の帯のもう片方のアイ状の部分が第１の帯を通す構造を有することを特徴とする球状石材吊り上げ具。【選択図】　　　図１
2004107090.tif 000002
【特許請求の範囲】
【請求項１】
両端をアイ状にした１本型の第１の帯と、両端をアイ状にした１本型の第２の帯とを有し、第１の帯の片方のアイ状の部分が第１の帯自身を通し、第１の帯のもう片方のアイ状の部分が第２の帯を通す構造を有し、第２の帯の片方のアイ状の部分が第２の帯自身を通し、第２の帯のもう片方のアイ状の部分が第１の帯を通す構造を有することを特徴とする球状石材吊り上げ具。
【請求項２】
１本型の帯を、ナイロン製としてなる請求項１に記載の球状石材吊り上げ具。
【請求項３】
第１および第２の１本型の帯が調節できる構造を有し、球状の石材を動かさずに帯を着脱できるようにした請求項１に記載の球状石材吊り上げ具。
【発明の詳細な説明】
【０００１】
【発明の属する技術分野】この発明は、球状の石材を吊り上げて移動または配置する際の吊り上げ具に関する。
【０００２】
【従来の技術】周知のように、球状の石材を吊り上げる際、既存のナイロン製ベルトを球状の石材の真下を通して吊る必要があるため、バール等で石材の片方を浮かせてベルトを通してから適切な位置にベルトを設置する方法や、ネット状のナイロン製ベルトで包み込んで、石材の下側に位置する絞り紐を縛って吊り上げるという方法で行っている。
【０００３】
【発明が解決しようとする課題】しかしながら、上記従来の方法においては、重い球状の石材をバール等で浮かせるという作業を伴うが、この作業は非常に困難かつ危険である。また、ネット状のベルトは石材の下側に位置する絞り紐を縛って石材の重さを受け止めるため、重い石材を吊るという一番肝心な作業部分が絞り紐１本の縛り方次第で決まってしまうという、安全上非常に不安定な要素を有している。加えて、いったん強く縛った絞り紐をほどく時に作業時間が非常にかかり、非能率的でコスト高となる問題点も有していた。
そこでこの発明は上記従来の欠点を解決しようとするもので、球状の石材を吊り上げて移動または配置する際に、石材を動かすことなく安全に吊り上げ、しかも吊り上げ具の着脱においては帯の調節だけでできるため作業者の安全性の向上および作業時間の短縮が達成可能となり、かつ作業能率の向上が可能な球状石材吊り上げ具を提供することを目的とするものである。
【０００４】
【課題を解決するための手段】すなわちこの発明の球状石材吊り上げ具は、両端をアイ状にした１本型の第１の帯と、両端をアイ状にした１本型の第２の帯とを有し、第１の帯の片方のアイ状の部分が第１の帯自身を通し、第１の帯のもう片方のアイ状の部分が第２の帯を通す構造を有し、第２の帯の片方のアイ状の部分が第２の帯自身を通し、第２の帯のもう片方のアイ状の部分が第１の帯を通す構造を有することを特徴とするものである。
【０００５】この発明の球状石材吊り上げ具は、上記１本型の帯部分を、ナイロン製としてなることをも特徴とするものである。
【０００６】この発明の球状石材吊り上げ具は、上記第１および第２の１本型の帯が調節できる構造を有し、球状の石材を動かさずに帯を着脱できるようにしたことをも特徴とするものである。
【０００７】この発明の球状石材吊り上げ具によると、球状の石材を吊り上げて移動・配置する際、第１の帯と第２の帯のすべてのアイの部分を外側へ広げることにより、石材は動かさずにこの発明の球状石材吊り上げ具を石材の上の方からかけて通し、下の方で第１の帯と第２の帯のすべてのアイの部分を絞ることにより取り付けできるようになっている。
そして作業者は、第１の帯の中間点と第２の帯の中間点をクレーン等のフックに引っ掛け、吊り上げることにより球状の石材を移動することができる。
【０００８】したがってこの発明によれば、球状の石材を吊り上げて移動または配置する際に、石材を動かすことなく安全に吊り上げ、しかも吊り上げ具の着脱においては帯の調節だけでできるため作業者の安全性の向上および作業時間の短縮が達成可能となり、かつ作業能率の向上が可能な球状石材吊り上げ具を提供することができるようになった。
【０００９】
【発明の実施の形態】以下、この発明の球状石材吊り上げ具の実施の形態を図に基いて説明する。図１はこの発明の球状石材吊り上げ具の平面図、図２はこの発明の球状石材吊り上げ具の使用状態を示す斜視図である。
【００１０】図１ないし図２に示すように、この発明に係る球状石材吊り上げ具１１は、両端をアイ状にした１本型の第１の帯１と、両端をアイ状にした１本型の第２の帯２とを有している。
そして、第１の帯１の片方のアイ状の部分３が第１の帯自身を通し、第１の帯のもう片方のアイ状の部分４が第２の帯２を通す構造を有し、第２の帯の片方のアイ状の部分５が第２の帯２自身を通し、第２の帯のもう片方のアイ状の部分６が第１の帯を通す構造となっている。
【００１１】図面に示すように、上記第１および第２の帯１，２は、望ましくはナイロン製であるが、その素材はナイロンに限られるものではなく、合成繊維または合成樹脂材を有する材質のものでよく、強度や剛性のみならず製造コストをも勘案して適宜決定することができる。
上記球状石材吊り上げ具１１において、上記第１および第２帯１，２は帯の両端をアイ状にするための縫い目部分７を有している。もちろん、縫い目部分７は石材１３に傷がつかないような糸で縫われていることが望ましい。
【００１２】なお上記第１および第２帯１，２は、第１の帯１のアイの部分３，４と、第２の帯２のアイの部分５，６を有することによって、すべてのアイの部分３，４，５，６で囲まれる四角の大きさが自由に調節できる。
こうすることにより、球状の石材１３へこの球状石材吊り上げ具１１を取り付けるときは、すべてのアイの部分３，４，５，６を石材１３の直径より広げることにより石材１３を動かすことなく、この球状石材吊り上げ具１１を石材１３の上の方からかけて通し、石材１３の下の方ですべてのアイの部分３，４，５，６を石材１３の直径より狭めることにより石材１３を簡単にしかも安全に保持することができる。
【００１３】上記球状石材吊り上げ具１１の使用に際しては、図２に示すように石材１３を保持してから、第１の帯１の中間点８と第２の帯２の中間点９をクレーンのフック１２に引っ掛け、石材１３を吊り上げる。
この球状石材吊り上げ具１１の石材１３への取り付け、クレーンのフック１２への引っ掛け操作は、１人の作業者が難なく行うことができる。
【００１４】
【発明の効果】したがってこの発明によれば、球状の石材を吊り上げて移動または配置する際に、石材を動かすことなく安全に吊り上げ、しかも吊り上げ具の着脱においては帯の調節だけでできるため作業者の安全性の向上および作業時間の短縮が達成可能となり、かつ作業能率の向上が可能な球状石材吊り上げ具を提供することができるようになった。
そしてその結果、墓石等の施工工事全体の費用削減にも寄与するものである。
【図面の簡単な説明】
【図１】この発明の球状石材吊り上げ具の平面図である。
【図２】この発明の球状石材吊り上げ具の使用状態の斜視図である。
【符号の説明】
１，２　１本型の帯
３，４，５，６　帯の両端のアイ状の部分
７　縫い目
８，９　１本型の帯の中間点
１１　球状石材吊り上げ具
１２　クレーンのフック
１３　球状の石材
【図１】
2004107090.tif 000003
【図２】
2004107090.tif 000004